(57)【要約】      （修正有）【課題】従来のネックレス留め金具においては、ネックレスの構成素材が貴金属類を多く使用しているため、繊細で優雅な形状ではあるが、破損、脱落等のトラブルによる損害が大きくなることを考慮して精密な又頑丈な構造のものがほとんどである。このためネックレスの着脱に着用者が困難している場合が多い。本考案はこのような欠点を補うことを目標とし、故障のない、着脱が簡単な、そのうえ優雅なネックレス留め金具を提供する。【解決手段】１０ｍｍ２〜１５ｍｍ２程度の太さの硬質な丸棒又は角棒を、ひらがな文字の「の」の文字にほぼ相似する丸い輪に加工し、「の」文字の書き終わり部分に内径２ｍｍ〜３ｍｍの環を設けたネックレス留め金具を作成する。ネックレスの連の端末にそれぞれ一個ずつのネックレス留め金具を取り付け、相互の丸い輪の内側部分に引っかけ係止して、一対のネックレス留め金具とする手段を採用した。【選択図】図１
0003117022.tif 000002
【実用新案登録請求の範囲】
【請求項１】
太さ１０ｍｍ２〜２０ｍｍ２程度の硬質な丸棒又は角棒をひらがな文字の、「の」、文字にほぼ相似する形状に加工し、「の」文字の書き終わり部分に内径が２ｍｍ〜３ｍｍ、の環を設けることを特徴とするネックレス留め金具。
【考案の詳細な説明】
【技術分野】
【０００１】  本考案は、ネックレスの連の端部に取付ける雌雄一対のネックレス留め金具に関するものである。
【背景技術】
【０００２】  従来、ネックレス留め金具はその形体や留め金具の構造或いは外れ防止策など多種多様な発明・考案が提示されている。構造上の特徴から見てゆくと、
１．  ネックレス本体と、留め金具が完全に分離することを主眼にするもの。（特開２００１−１２８７１３）
２．  留め金具を係合するとき確実に係合したことを係合音を発生させて確認することに特徴を持つもの。（特開平８−２５６８１０）。
３．  留め金具がネックレスの長さの調整機能を持つもの。（特開平９−５６４２９）
４．  ネックレスを装着したとき、留め金具がたえず首の後ろ、うなじに位置するようにズレ防止具を取り付けたもの。（特開２００３−１０２５２３）。
など、その他ネックレスの留め金具についての背景技術は多数出願されている。
【考案の開示】
【考案が解決しようとする課題】
【０００３】  上記のようにネックレス留め金具については多種多様の発明・考案が提出されているが、いずれも外れ、破損、脱落などのトラブルの発生を警戒して複雑な構造となったり、着脱に手間がかかったりするものが多い。本考案は、このような留め金具の不備を、更に減少させようとして構造が簡単で、故障が少なく、着脱に手間の掛からないネックレス留め金具を提供することを目標としたものである。
【課題を解決するための手段】
【０００４】  断面積が１０ｍｍ２〜２０ｍｍ２程度の硬質の丸棒または角棒を、ひらがな文字で書く「の」文字に、ほぼ相似する形状となるように加工し、「の」文字の書き終わり部分の先端に、内径３ｍｍ〜５ｍｍ程度の環を設け固着する。このように作成した金具を２個お互いの形状内の空間に挿入すれば、遊貫状態で係止することになる。
【考案の効果】
【０００５】  １．本考案のネックレス留め金具は、上記のように簡単な形状であるため、ネックレスの留め金具としては外れ、破損、脱落等のトラブルを発生する要素が極めて少ない。
２．ネックレス留め金具を係合する操作は、互いの開口部を接触させながら引っ張れば失敗なく係合し、係合操作の逆操作をすれば安易に取り外せる。
３．本考案のネックレス留め金具の特徴ある形状によって自然に外れることはない。と倶に取り外そうとする場合、正確に取り外し操作をしなければ外れない’知恵の輪’的な現象が起こる。従って、シンプルな構造であるため、ごく簡単に着脱が出来るよにみられるが、正しい操作方法で取り扱わないと着脱が困難である。
４．上項１〜３のような特徴を持つネックレス留め金具であるため、シンプルなデザインであり、機構上のトラブルを起こす要因がほとんどなく、着脱の操作が安易である。
【考案を実施するための最良の形態】
【０００６】  ネックレスループ（元来ネックレスは使用状態においては環状となっているため、当明細書においては、このように表現することとする。）の１箇所を切断して生成した端部２カ所に、本考案のネックレス留め金具をそれぞれ１個ずつ繋ぎネックレス留め金具どうしを係止すれば、一組のネックレス留め金具が形成される。
このように、本考案のネックレス留め金具の係合は、一般的に鎖が一つ一つの環を係合して連続するのと同じであるように、二個のネックレス留め金具の片方の湾曲部内側に他のネックレス留め金具が係合されるが、本考案の特徴としてネックレス留め金具は開口部が大きい構造のため係合、取り外しが容易になる。
ネックレスループの中間に挿入する該ネックレス留め金具は１カ所に１組のみとは限らず、数カ所に挿入することも可能である。この場合一組のネックレス留め金具と隣接のネックレス留め金具との間に、一連の異種宝飾品群を挿入してループを形成することも変化のある実施方法である。
【実施例】
【０００７】  以下、本考案の一実施例を図に基づいて説明する。
図１は真珠のネックレスにおけるネックレス留め金具（１、１’）の使用状態斜視図であって、真珠のネックレスループの連の中間を切断し、ネックレス留め金具（１、１’）一対を挿入して係止した状態を示す。切断したネックレスループのそれぞれの端部には接続環（４、４’）が設けられ、ネックレス留め金具（１、１’）の一方（１）の引き止め孔（２）は接続環（４）に遊貫状態で、又ネックレス留め金具（１、１’）の他方（１’）の引き止め孔（２’）は接続環（４’）に遊貫状態で接続される。【０００８】  図１及び図２にて示すように、ネックレス留め金具（１、１’）はお互いの開口部（３、３’）から相手のネックレス留め金具（１、１’）の湾曲内へ双方が挿入することによって係止されることとなる。【０００９】  前述のように、２個のネックレス留め金具（１、１’）は、遊動係止状態にとどまりり、相手のネックレス留め金具（１、１’）内に固定しない。このため、取り外す際には挿入作業の逆をたどればどのような場合であっても、ごく簡単に取り外せるが、正確に挿入作業の逆作業が出来なければまず外れない。これは、本考案のネックレス留め金具（１、１’）の独特の形状によって始めて起こりうる’知恵の輪’現象と同じ作用であって、本考案の特筆すべき特徴である。
【図面の簡単な説明】
【００１０】
【図１】    本考案の実施形態の斜視図
【図２】    ネックレス留め金具の係止状態の拡大図
【図３】    ネックレス留め金具の正面図
【図４】    ネックレス留め金具の背面図
【図５】    ネックレス留め金具の平面図
【図６】    ネックレス留め金具の底面図
【図７】    ネックレス留め金具の左側面図
【図８】    ネックレス留め金具の右側面図
【符号の説明】
【００１１】    １      ネックレス留め金具
１’    ネックレス留め金具
２      引き止め孔
２’    引き止め孔
３      開口部
３’    開口部
４      接続環
４’    接続環
５      真珠
５’    真珠
【図１】
0003117022.tif 000003
【図２】
0003117022.tif 000004
【図３】
0003117022.tif 000005
【図４】
0003117022.tif 000006
【図５】
0003117022.tif 000007
【図６】
0003117022.tif 000008
【図７】
0003117022.tif 000009
【図８】
0003117022.tif 000010